(57)【要約】【課題】通風方向に対して垂直な投影面において集塵ユニットと脱臭ユニットの形状が異なる場合であっても、被処理空気を両方のユニットに通過させる。【解決手段】空気清浄機は、通過する空気に含まれる塵埃を捕集する集塵部と、通過する空気に含まれる臭気成分を脱臭する脱臭部と、集塵部を通過した空気を脱臭部へ案内する通風路を形成するガイド部と、を備え、ガイド部は、集塵部の空気の排出面の形状に沿って形成された第１開口部と、脱臭部の空気の吸入面の形状に沿って形成されて第１開口部とは形状が異なる第２開口部と、第１開口部と第２開口部とを繋ぐ連通部と、を備える。連通部は、通風方向に対して垂直な投影面において第１開口部と第２開口部とが通風方向で重ならない位置に設けられた遮風部を備える。【選択図】図１２
2019154807.tif 000002
【特許請求の範囲】
【請求項１】
通過する空気に含まれる塵埃を捕集する集塵部と、
通過する空気に含まれる臭気成分を脱臭する脱臭部と、
前記集塵部を通過した空気を前記脱臭部へ案内する通風路を形成するガイド部と、を備え、
前記ガイド部は、
前記集塵部の空気の排出面の形状に沿って形成された第１開口部と、
前記脱臭部の空気の吸入面の形状に沿って形成されて前記第１開口部とは形状が異なる第２開口部と、
前記第１開口部と前記第２開口部とを繋ぐ連通部と、を備え、
前記連通部は、通風方向に対して垂直な投影面において前記第１開口部と前記第２開口部とが前記通風方向で重ならない位置に設けられた遮風部を備える
ことを特徴とする空気清浄機。
【請求項２】
前記遮風部は、
前記投影面において、前記第１開口部よりも内周側かつ前記第２開口部よりも外周側となる位置に配置された第１遮風部と、
前記投影面において、前記第１開口部よりも外周側かつ前記第２開口部よりも内周側となる位置に配置された第２遮風部と
を有することを特徴とする請求項１に記載の空気清浄機。
【請求項３】
前記第１遮風部は、前記ガイド部の前記第２開口部側の端部に形成され、
前記第２遮風部は、前記ガイド部の前記第１開口部側の端部に形成される
ことを特徴とする請求項２に記載の空気清浄機。
【請求項４】
前記第２開口部は、前記脱臭部が備えている加熱部に対応する部分を切り欠いた切欠部を備えた
ことを特徴とする請求項１〜３の何れか１項に記載の空気清浄機。
【発明の詳細な説明】
【技術分野】
【０００１】
本発明は、空気清浄機に関する。
【背景技術】
【０００２】
通過する空気に含まれる塵埃を帯電させて除塵する矩形状の集塵ユニットと、通過する空気に含まれる臭気成分を吸着させて脱臭する円板状の脱臭フィルタとを備えた空気清浄機がある（例えば特許文献１参照）。かかる空気清浄機は、室内において、空気清浄機内に吸い込んだ空気（被処理空気）を集塵ユニットで除塵し、除塵した空気を脱臭フィルタで脱臭して吹き出す。
【先行技術文献】
【特許文献】
【０００３】
【特許文献１】特開２０１５−２２９１５３号公報
【発明の概要】
【発明が解決しようとする課題】
【０００４】
しかしながら、上述の空気清浄機では、例えば、集塵ユニットが矩形状であり、脱臭フィルタが円形状であるように、これらの形状が異なる。このことから、空気の通風方向に対して垂直な投影面において、集塵ユニットの空気の排出面と脱臭フィルタの空気の吸入面とが通風方向で重ならない領域（以下、「非重複領域」）が存在する。そのため、集塵ユニットにおける非重複領域と対応した箇所を通過した空気は、脱臭フィルタを通過しないまま室内へ吹き出されてしまう。よって、空気清浄機から吹き出される空気に、脱臭フィルタで脱臭されていない空気が含まれてしまい、空気清浄機の使用者は、脱臭されていない空気の臭気で不快に感じるおそれがある。
【０００５】
開示の技術は、上記に鑑みてなされたものであって、通風方向に対して垂直な投影面において集塵ユニットの空気排出面と脱臭ユニットの空気吸入面の形状が異なる場合であっても、空気清浄機内に取り込んだ被処理空気を両方のユニットに通過させることができる空気清浄機を提供することを目的とする。
【課題を解決するための手段】
【０００６】
本願の開示する空気清浄機の一態様は、集塵部と、脱臭部と、ガイド部と、を備える。集塵部は、通過する空気に含まれる塵埃を捕集する。脱臭部は、通過する空気に含まれる臭気成分を脱臭する。ガイド部は、集塵部を通過した空気を脱臭部へ案内する通風路を形成する。ガイド部は、集塵部の空気の排出面の形状に沿って形成された第１開口部と、脱臭部の空気の吸入面の形状に沿って形成されて第１開口部とは形状が異なる第２開口部と、第１開口部と第２開口部とを繋ぐ連通部と、を備える。連通部は、通風方向に対して垂直な投影面において第１開口部と第２開口部とが通風方向で重ならない位置に設けられた遮風部を備える。
【発明の効果】
【０００７】
本願の開示する空気清浄機の一態様によれば、空気清浄機において、通風方向に対して垂直な投影面において集塵ユニットの空気の排出面と脱臭ユニットの空気の吸入面の形状が異なる場合であっても、空気清浄機内に取り込んだ被処理空気を両方のユニットに通過させることができる。
【図面の簡単な説明】
【０００８】
【図１】図１は、第１基本形態〜第４基本形態の空気清浄機における集塵ユニットと脱臭フィルタの位置関係を示す概略図である。
【図２】図２は、第１基本形態および第２基本形態の空気清浄機における集塵ユニットから脱臭フィルタへ空気が流れる方向（集塵ユニットの形状が正方形である場合）を示す概略図である。
【図３】図３は、第３基本形態および第４基本形態の空気清浄機における集塵ユニットから脱臭フィルタへ空気が流れる方向（集塵ユニットの形状が長方形である場合）を示す概略図である。
【図４】図４は、第１基本形態の空気清浄機のガイド部の概略を示す図である。
【図５】図５は、第２基本形態の空気清浄機のガイド部の概略を示す図である。
【図６】図６は、第３基本形態の空気清浄機のガイド部の概略を示す図である。
【図７】図７は、第４基本形態の空気清浄機のガイド部の概略を示す図である。
【図８】図８は、実施例の空気清浄機の外観を示す斜視図である。
【図９】図９は、実施例の空気清浄機を示す平面図である。
【図１０】図１０は、実施例の空気清浄機を示すＡ−Ａ断面図である。
【図１１】図１１は、実施例の空気清浄機を示すＢ−Ｂ断面図である。
【図１２】図１２は、実施例のホルダ部を前面側から見た斜視図である。
【図１３】図１３は、実施例のホルダ部を示す正面図である。
【図１４】図１４は、実施例のホルダ部に集塵ユニットを取り付けて前面側から見た斜視図である。
【図１５】図１５は、実施例のホルダ部を背面側から見た斜視図である。
【図１６】図１６は、実施例のホルダ部を示す背面図である。
【図１７】図１７は、実施例のホルダ部にフィルタ再生部を取り付けて背面側から見た斜視図である。
【図１８】図１８は、実施例のホルダ部にフィルタ再生部および脱臭フィルタを取り付けて背面側から見た斜視図である。
【発明を実施するための形態】
【０００９】
以下に、本願の開示する空気清浄機の実施例（基本形態および具体的な実施例）を図面に基づいて詳細に説明する。なお、以下の実施例によって、本願の開示する空気清浄機が限定されるものではない。
【００１０】
［空気清浄機の構成］
図８は、実施例の空気清浄機の外観を示す斜視図である。実施例の空気清浄機１は、図８に示すように、本体筐体１１を備えている。本体筐体１１は、合成樹脂材等により、略直方体状に形成されている。本体筐体１１は、前面パネル１１ａ、背面パネル１１ｂ、左側面パネル１１ｃ、右側面パネル１１ｄ、天面パネル１１ｅ、底面部１１ｆを備えている。底面部１１ｆは、本体筐体１１の下部を形成しており、空気清浄機１が設置される設置面に載置される。
【００１１】
前面パネル１１ａと背面パネル１１ｂは、図８に示すように、対向するように配置されることにより本体筐体１１の前後の面を形成し、左側面パネル１１ｃ、右側面パネル１１ｄ、天面パネル１１ｅ、底面部１１ｆに接合されている。前面パネル１１ａには、空気清浄機１が空気清浄対象の室内の空気を吸い込むための前面吸込口１１ａ１が形成されている。背面パネル１１ｂには、空気清浄機１が吸い込んだ空気を清浄した後の空気を吹き出すための左側面吹出口１１ｂ１と右側面吹出口１１ｂ２（図９および図１１参照）とが形成されている。
【００１２】
左側面パネル１１ｃと右側面パネル１１ｄとは、対向するように配置されることにより本体筐体１１の側面を形成し、図８に示すように、前面パネル１１ａ、背面パネル１１ｂ、天面パネル１１ｅ、底面部１１ｆに接合されている。
【００１３】
天面パネル１１ｅは、本体筐体１１の上部を形成しており、前面パネル１１ａ、背面パネル１１ｂ、左側面パネル１１ｃそれぞれの上端に接合されている。天面パネル１１ｅには、空気清浄機１が吸い込んだ空気を清浄した後の空気を吹き出すための上面吹出口１１ｅ１が形成されている。
【００１４】
空気清浄機１は、本体筐体１１の内部に、集塵部と脱臭部と送風機とが設けられている。集塵部は、通過する空気に含まれる塵埃を除塵する。脱臭部は、通過する空気に含まれる臭気成分を脱臭する。送風機は、本体筐体１１の内部に空気を吸い込むとともに、清浄化された空気を本体筐体１１の外部へ吹き出す。
【００１５】
空気清浄機１は、前面吸込口１１ａ１から本体筐体１１に吸い込んだ空気を、左側面吹出口１１ｂ１、右側面吹出口１１ｂ２、および上面吹出口１１ｅ１のそれぞれから吹き出すまでに、空気の除塵処理および脱臭処理を行う。
【００１６】
なお、空気清浄機１は、図示しない操作部をさらに備えている。操作部は、図示しないボタンおよび図示しない表示部を備えている。ボタンは、図示しない電源ボタンや図示しない運転モード切り換えボタン等を含み、空気清浄機１を操作するときに用いられる。表示部は、空気清浄機１の運転状態や塵埃センサ等の図示しない検出器の検出結果を表示する。
【００１７】
図９は、実施例の空気清浄機を示す平面図である。背面パネル１１ｂは、図９に示すように、前面パネル１１ａが配置される前面の反対側の背面に配置されている。
【００１８】
以下の説明では、図８に記載の空気清浄機１において、空気清浄機１の前後方向（奥行き方向）をＸ軸、空気清浄機の幅方向をＹ軸、空気清浄機の高さ方向をＺ軸として説明する。また、空気清浄機１の前面パネル１１ａから背面パネル１１ｂへ向かう方向をＸ軸の正方向とし、空気清浄機１の左側面パネル１１ｃから右側面パネル１１ｄへ向かう方向をＹ軸の正方向とし、空気清浄機１の底面部１１ｆから天面パネル１１ｅへ向かう方向をＺ軸の正方向とする。また、空気清浄機の本体筐体の前面パネルが配置される側を「前面側」とし、本体筐体の背面パネルが配置される側を「背面側」とする。また、以下の基本形態および実施例では、同一の構成については同一の符号を付与し、後出の説明を省略する場合がある。また、以下に示す基本形態および具体的な実施例は、矛盾しない範囲で適宜組合せることができる。
【００１９】
［基本形態］
ここで、具体的な実施例の説明に先立ち、基本形態の空気清浄機における集塵ユニット、脱臭ユニット、これらの間に設けられるガイド部の概要を説明する。
【００２０】
（集塵ユニットと脱臭ユニットとの位置関係）
図１は、第１基本形態〜第４基本形態の空気清浄機における集塵ユニットと脱臭フィルタの位置関係を示す概略図である。図２は、第１基本形態および第２基本形態の空気清浄機における集塵ユニットから脱臭フィルタへ空気が流れる方向（集塵ユニットおよび集塵ユニットの空気の排出面が正方形である場合）を示す概略図である。図３は、第３基本形態および第４基本形態の空気清浄機における集塵ユニットから脱臭フィルタへ空気が流れる方向（集塵ユニットおよび集塵ユニットの空気の排出面が長方形である場合）を示す概略図である。
【００２１】
第１基本形態〜第４基本形態の空気清浄機１Ｘ，１Ｙ，１Ｕ，１Ｖは、その内部に、集塵部としての矩形状の集塵ユニット２２Ｘと、脱臭部としての円板状の脱臭フィルタ２３ａＸとを備えている。集塵ユニット２２Ｘは、当該集塵ユニット２２Ｘを通過する空気に含まれる塵埃を捕集する。また、脱臭フィルタ２３ａＸは、当該脱臭フィルタ２３ａＸを通過する空気に含まれる臭気成分を脱臭する。集塵ユニット２２Ｘは、通風方向Ｄの上流側（空気清浄機１Ｘ，１Ｙ，１Ｕ，１Ｖの前面側）に配置され、脱臭フィルタ２３ａＸは、通風方向Ｄの下流側（空気清浄機１Ｘ，１Ｙ，１Ｕ，１Ｖの背面側）に配置されている。通風方向Ｄは、Ｘ軸の正方向と同じ向きである。また、集塵ユニット２２Ｘと脱臭フィルタ２３ａＸは、通風方向Ｄと平行な一直線上に互いの中心が並ぶように配置されている。なお、図１では、空気清浄機の集塵ユニット２２Ｘ、脱臭フィルタ２３ａＸ以外の図示を省略している。
【００２２】
ここで、図２および図３に示すように、集塵ユニット２２Ｘおよび集塵ユニット２２Ｘの空気の排出面２２Ｘｏが矩形状であり、脱臭部としての脱臭ユニットに含まれる脱臭フィルタ２３ａＸおよび脱臭フィルタ２３ａＸの空気の吸入面２３ａＸｉが円形状である。また、集塵ユニット２２Ｘの空気の排出面２２Ｘｏの面積と、脱臭フィルタ２３ａＸの空気の吸入面２３ａＸｉの面積は、おおよそ同じ面積になるように設定されている。そして、集塵ユニット２２Ｘと脱臭フィルタ２３ａＸは、通風方向Ｄに対して垂直な投影面において集塵ユニット２２Ｘの空気の排出面２２Ｘｏと脱臭フィルタ２３ａＸの空気の吸入面２３ａＸｉとが通風方向Ｄで重ならない領域（第１非重複領域Ａ１および第２非重複領域Ａ２）を有する。なお、通風方向Ｄに対して垂直な投影面とは、集塵ユニット２２Ｘと脱臭ユニット２３ａＸとを通風方向Ｄに対して投影したそれぞれの投影像が現れる面をいう。
【００２３】
第１非重複領域Ａ１は、通風方向Ｄに対して垂直な投影面において、矩形状の集塵ユニット２２Ｘの空気の排出面２２Ｘｏよりも内周側かつ円形状の脱臭フィルタ２３ａＸの空気の吸入面２３ａＸｉよりも外周側となる領域である。第２非重複領域Ａ２は、通風方向Ｄに対して垂直な投影面において、矩形状の集塵ユニット２２Ｘの空気の排出面２２Ｘｏよりも外周側かつ円形状の脱臭フィルタ２３ａＸの空気の吸入面２３ａＸｉよりも内周側となる領域である。
【００２４】
空気清浄機１は、第１非重複領域Ａ１が存在することにより、集塵ユニット２２Ｘにおける第１非重複領域Ａ１と対応する箇所を通過して塵埃が除去された空気が、下流側の脱臭フィルタ２３ａＸを通過せずに、脱臭されないまま空気清浄機から放出されるという不都合が生じる。また空気清浄機１は、第２非重複領域Ａ２が存在することにより、上流側の集塵ユニット２２Ｘを通過せずに塵埃が除去されない空気が、脱臭フィルタ２３ａＸにおける第２非重複領域Ａ２と対応する箇所を通過して臭気成分が脱臭される。つまり、塵埃が含まれた空気が空気清浄機から放出されるという不都合が生じる。
【００２５】
そこで、第１基本形態〜第４基本形態では、通風方向Ｄを上流から下流へ流れる空気を案内する通風路を形成するガイド部を、空気清浄機１Ｘ，１Ｙ，１Ｕ，１Ｖ内部の集塵ユニット２２Ｘと脱臭フィルタ２３ａＸとの間に配置する。基本形態のガイド部は、空気清浄機１Ｘ，１Ｙ，１Ｕ，１Ｖに吸い込まれ通風方向Ｄを上流から下流へ流れる空気が、集塵ユニット２２Ｘにおける第１非重複領域Ａ１と対応する箇所を通過した後、脱臭フィルタ２３ａＸを通過するように案内する。また、第１基本形態〜第４基本形態のガイド部は、集塵ユニット２２Ｘを通過した空気が、通風方向Ｄを上流から下流へ流れて脱臭フィルタ２３ａＸにおける第２非重複領域Ａ２と対応する箇所を通過するように案内する。
【００２６】
すなわち、図２および図３の矢印で示すように、第１基本形態〜第４基本形態のガイド部は、集塵ユニット２２Ｘの第１非重複領域Ａ１を通過した空気が脱臭フィルタ２３ａＸを通過するとともに、集塵ユニット２２Ｘを通過した空気の一部が脱臭フィルタ２３ａＸの第２非重複領域Ａ２を通過するように空気を導く。
【００２７】
なお、図２では集塵ユニット２２Ｘは正方形状であり、図３では集塵ユニット２２Ｘは長方形状であるため、図２は図３と比較して集塵ユニット２２ＸのＺ軸方向の長さが短い。図２では、第２非重複領域Ａ２は、集塵ユニット２２Ｘの矩形の４辺それぞれの一部を弦とし、この弦と、この弦に対応する脱臭フィルタ２３ａＸの外周の４つの弧をそれぞれ含む部分に相当する。また、図３では、第１非重複領域Ａ１は、集塵ユニット２２Ｘの４隅をそれぞれ含む部分に相当する。
【００２８】
このような基本形態のガイド部の一例として、図４〜図７を参照して、第１基本形態のガイド部１００−１Ｘ、第２基本形態のガイド部１００−１Ｙ、第３基本形態のガイド部１００−１Ｕ、および第４基本形態のガイド部１００−１Ｖを説明する。図４に示すように、第１基本形態のガイド部１００−１Ｘは、通風方向Ｄに対する垂直断面が集塵ユニット２２Ｘの空気の排出面２２Ｘｏと略同一の矩形状に形成された、第１開口部１０１ａＸを含む通風路と、通風方向Ｄに対する垂直断面が脱臭フィルタ２３ａＸの空気の吸入面２２ａＸｉと略同一の円形状に形成された、第２開口部１０１ｂＸを含む通風路とを、通風方向Ｄ上に組合せて配置した形状である。図５に示すように、第２基本形態のガイド部１００−１Ｙ、第３基本形態のガイド部１００−１Ｕ、および第４基本形態のガイド部１００−１Ｖも、第１基本形態のガイド部１００−１Ｘと同様である。
【００２９】
［第１基本形態のガイド部材］
図４は、第１基本形態の空気清浄機のガイド部の概略を示す図である。図４に示すように、第１基本形態のガイド部１００−１Ｘの前面側（Ｘ軸の負方向側）に集塵ユニット２２Ｘが配置されている。また、ガイド部１００−１Ｘの背面側（Ｘ軸の正方向側）に脱臭フィルタ２３ａＸが配置されている。
【００３０】
第１基本形態のガイド部１００−１Ｘは、通風方向Ｄに対する垂直断面が集塵ユニット２２Ｘの空気の排出面２２Ｘｏと略同一の正方形状に形成された通風路と、通風方向Ｄに対する垂直断面が脱臭フィルタ２３ａＸの空気の吸入面２２ａＸｉと略同一の円形状に形成された通風路とが、通風方向Ｄにおける同一位置で重ねられた形状である。
【００３１】
第１基本形態のガイド部１００−１Ｘは、前面側に設けられた第１開口部１０１ａＸ、背面側に設けられた第２開口部１０１ｂＸ、第１開口部１０１ａＸと第２開口部１０１ｂＸを繋ぐ連通部１００−２Ｘを備えている。第１開口部１０１ａＸは、集塵ユニット２２Ｘの空気の排出面２２Ｘｏと略同一の正方形状であり、集塵ユニット２２Ｘの空気の排出面２２Ｘｏの形状に沿って形成されている。集塵ユニット２２Ｘは、その４辺がガイド部１００−１Ｘの第１開口部１０１ａＸの４辺と位置合わせされて取付けられる。
【００３２】
また、第２開口部１０１ｂＸは、脱臭フィルタ２３ａＸの空気の吸入面２２ａＸｉと略同一の円形状であり、脱臭フィルタ２３ａＸの空気の吸入面２３ａＸｉの形状に沿って形成されている。脱臭フィルタ２３ａＸは、その外縁部が第２開口部１０１ｂＸの外縁部と位置合わせされてガイド部１００−１Ｘに取り付けられる。
【００３３】
また、ガイド部１００−１Ｘは、第２開口部１０１ｂＸ側に、第１遮風部１０４Ｘを備えている。第１遮風部１０４Ｘは、集塵ユニット２２Ｘの第１非重複領域Ａ１と通風方向Ｄで相対する箇所に配置される。これにより、第１遮風部１０４Ｘは、通風方向Ｄの上流から流れて集塵ユニット２２Ｘの第１非重複領域Ａ１を通過した空気を遮風し、遮風した空気が第１非重複領域Ａ１に対応する位置から空気清浄機１Ｘの内部へ漏れ出すことなく脱臭フィルタ２３ａＸへ向かうように流れの向きを変える。
【００３４】
また、ガイド部１００−１Ｘは、第１開口部１０１ａＸ側に、第２遮風部１０５Ｘを備えている。第２遮風部１０５Ｘは、脱臭フィルタ２３ａＸの第２非重複領域Ａ２と通風方向Ｄで相対する箇所に配置される。これにより、第２遮風部１０５Ｘは、通風方向Ｄを上流から流れて集塵ユニット２２Ｘを通過した後に逆流しようとする空気を遮風し、遮風した空気が第２非重複領域Ａ２に対応する位置から空気清浄機１Ｘの内部へ漏れ出すことなく脱臭フィルタ２３ａＸへ向かうように流れの向きを変える。さらに、第２遮風部１０５Ｘは、集塵ユニット２２Ｘを通過していない空気清浄機１Ｘの内部の空気が脱臭フィルタ２３ａＸへ流入することを防ぐ。
【００３５】
また、前述のように、第１遮風部１０４Ｘは、ガイド部１００−１Ｘの脱臭フィルタ２３ａＸ側に配置され、第２遮風部１０５Ｘは、ガイド部１００−１Ｘの集塵ユニット２２Ｘ側に配置されている。そのため、通風方向Ｄの上流から流れて集塵ユニット２２Ｘの第１非重複領域Ａ１を通過した空気は、第１遮風部１０４Ｘによって遮風されて流れの向きが変わり、一部が連通部１００−２Ｘにおける第２非重複領域Ａ２と対応する箇所へと導かれる。これにより、通風方向Ｄにおいて第２遮風部１０５Ｘの下流側に位置するために空気が流通しにくい領域、すなわち、脱臭フィルタ２３ａＸにおける第２非重複領域Ａ２と対応する領域へと、被処理空気を導くことができる。そのため、集塵ユニット２２Ｘを通過した空気は、通風方向Ｄを上流から下流へ流れる際に、より均一に脱臭フィルタ２３ａＸへ流れ込むことができる。
【００３６】
また、ガイド部１００−１Ｘは、第１遮風部１０４Ｘおよび第２遮風部１０５Ｘが通風方向Ｄに対して垂直に設けられているため、通風方向Ｄに対する連通部１００−２Ｘの容積を小さくできる。また、ガイド部１００−１Ｘは、通風方向Ｄに対する垂直断面が集塵ユニット２２Ｘの空気の排出面２２Ｘｏと略同一の正方形状の通風路と、通風方向Ｄに対する垂直断面が脱臭フィルタ２３ａＸの空気の吸入面２２ａＸｉと略同一の円形状の通風路とが、通風方向Ｄの同一位置で重なった形状をしているため、通風方向Ｄに対する連通部１００−２Ｘの容積を更に小さくできる。そのため、ガイド部１００−１Ｘをよりコンパクトにすることができる。
【００３７】
［第２基本形態のガイド部材］
図５は、第２基本形態の空気清浄機のガイド部の概略を示す図である。図５に示すように、第２基本形態のガイド部１００−１Ｙの前面側（Ｘ軸の負方向側）に集塵ユニット２２Ｘが配置されている。また、ガイド部１００−１Ｙの背面側（Ｘ軸の正方向側）に脱臭フィルタ２３ａＸが配置されている。
【００３８】
ガイド部１００−１Ｙは、通風方向Ｄに対する垂直断面が集塵ユニット２２Ｘの空気の排出面２２Ｘｏと略同一の正方形状に形成された通風路と、通風方向Ｄに対する垂直断面が脱臭フィルタ２３ａＸの空気の吸入面２２ａＸｉと略同一の円形状に形成された通風路とが、通風方向Ｄで連続して配置された形状となっている。
【００３９】
また、ガイド部１００−１Ｙは、前面側に設けられた第１開口部１０１ａＸ、背面側に設けられた第２開口部１０１ｂＸ、第１開口部１０１ａＸと第２開口部１０１ｂＸを繋ぐ連通部１００−２Ｙを備えている。第１開口部１０１ａＸはおよび第２開口部１０１ｂＸは、第１基本形態のガイド部１００−１Ｘと同様である。
【００４０】
また、ガイド部１００−１Ｙは、通風方向Ｄにおいて、連続した正方形状の通風路と円形状の通風路との境界となる位置に、第１遮風部１０４Ｘと第２遮風部１０５Ｘとを備えている。第１遮風部１０４Ｘは、集塵ユニット２２Ｘの第１非重複領域Ａ１と通風方向Ｄで相対する箇所に位置する。これにより、第１遮風部１０４Ｘは、通風方向Ｄの上流から流れて集塵ユニット２２Ｘの第１非重複領域Ａ１を通過した空気を遮風し、遮風した空気が第１非重複領域Ａ１に対応する位置から空気清浄機１Ｘの内部へ漏れ出すことなく脱臭フィルタ２３ａＸへ向かうように流れの向きを変える。また、第２遮風部１０５Ｘは、脱臭フィルタ２３ａＸの第２非重複領域Ａ２と通風方向Ｄで相対する箇所に位置する。これにより、第２遮風部１０５Ｘは、通風方向Ｄを上流から流れて集塵ユニット２２Ｘを通過した後に逆流しようとする空気を遮風し、遮風した空気が第２非重複領域Ａ２に対応する位置から空気清浄機１Ｘの内部へ漏れ出すことなく脱臭フィルタ２３ａＸへ向かうように流れの向きを変える。さらに、第２遮風部１０５Ｘは、集塵ユニット２２Ｘを通過していない空気清浄機１Ｘの内部の空気が脱臭フィルタ２３ａＸへ流入することを防ぐ。
【００４１】
また、ガイド部１００−１Ｙは、第１遮風部１０４Ｘと第２遮風部１０５Ｘとが、連続した正方形状の通風路と円形状の通風路との境界となる、通風方向Ｄの同一箇所に配置されている。これにより、第１遮風部１０４Ｘと第２遮風部１０５Ｘとを有するガイド部１００−１Ｙの構造を単純化できる。また、ガイド部１００−１Ｙは、第１遮風部１０４Ｘおよび第２遮風部１０５Ｘが通風方向Ｄに対して垂直に設けられているため、通風方向Ｄに対する連通部１００−２Ｙの容積を小さくできる。そのため、ガイド部１００−１Ｙをよりコンパクトにすることができる。
【００４２】
［第３基本形態のガイド部材］
図６は、第３基本形態の空気清浄機のガイド部の概略を示す図である。第３基本形態の空気清浄機１Ｕのガイド部１００−１Ｕは、図４に示す第１基本形態のガイド部１００−１Ｘの前面側（Ｘ軸の負方向側）に配置されている集塵ユニット２２Ｘの形状を長方形とし、この長方形に合わせて第１開口部１０１ａＵを形成したものである。
【００４３】
第３基本形態のガイド部１００−１Ｕは、通風方向Ｄに対する垂直断面が集塵ユニット２２Ｘの空気の排出面２２Ｘｏと略同一の長方形状に形成された通風路と、通風方向Ｄに対する垂直断面が脱臭フィルタ２３ａＸの空気の吸入面２２ａＸｉと略同一の円形状に形成された通風路とが、通風方向Ｄにおける同一位置で重ねられた形状である。
【００４４】
第３基本形態のガイド部１００−１Ｕは、前面側に設けられた第１開口部１０１ａＵ、背面側に設けられた第２開口部１０１ｂＵ、第１開口部１０１ａＵと第２開口部１０１ｂＵを繋ぐ連通部１００−２Ｕを備えている。第１開口部１０１ａＵは、集塵ユニット２２Ｘの空気の排出面２２Ｘｏと略同一の長方形状であり、集塵ユニット２２Ｘの空気の排出面２２Ｘｏの形状に沿って形成されている。集塵ユニット２２Ｘは、その４辺がガイド部１００−１Ｕの第１開口部１０１ａＵの４辺と位置合わせされて固定される。
【００４５】
また、第２開口部１０１ｂＵは、脱臭フィルタ２３ａＸの空気の吸入面２２ａＸｉと略同一の円形状であり、脱臭フィルタ２３ａＸの空気の吸入面２２ａＸｉの形状に沿って形成されている。脱臭フィルタ２３ａＸは、その外縁部が第２開口部１０１ｂＵの外縁部と位置合わせされてガイド部１００−１Ｕに取り付けられる。
【００４６】
また、ガイド部１００−１Ｕは、第２開口部１０１ｂＵ側に、第１遮風部１０４Ｕを備えている。第１遮風部１０４Ｕは、集塵ユニット２２Ｘの第１非重複領域Ａ１と通風方向Ｄで相対する箇所に位置する。第１遮風部１０４Ｕは、通風方向Ｄの上流から流れて集塵ユニット２２Ｘの第１非重複領域Ａ１を通過した空気を遮風し、遮風した空気が第１非重複領域Ａ１に対応する位置から空気清浄機１Ｕの内部へ漏れ出すことなく脱臭フィルタ２３ａＸへ向かうように流れの向きを変える。
【００４７】
また、ガイド部１００−１Ｕは、第１開口部１０１ａＵ側に、第２遮風部１０５Ｕを備えている。第２遮風部１０５Ｕは、脱臭フィルタ２３ａＵの第２非重複領域Ａ２と通風方向Ｄで相対する箇所に位置する。これにより、第２遮風部１０５Ｕは、通風方向Ｄを上流から流れて集塵ユニット２２Ｘを通過した後に逆流しようとする空気を遮風し、遮風した空気が第２非重複領域Ａ２に対応する位置から空気清浄機１Ｕの内部へ漏れ出すことなく脱臭フィルタ２３ａＸへ向かうように流れの向きを変える。さらに、第２遮風部１０５Ｕは、集塵ユニット２２Ｘを通過していない空気清浄機１Ｕの内部の空気が脱臭フィルタ２３ａＸへ流入することを防ぐ。
【００４８】
また、前述のように、第１遮風部１０４Ｕは、ガイド部１００−１Ｕの脱臭フィルタ２３ａＸ側に配置され、第２遮風部１０５Ｕは、ガイド部１００−１Ｘの集塵ユニット２２Ｘ側に配置されている。そのため、通風方向Ｄの上流から流れて集塵ユニット２２Ｘの第１非重複領域Ａ１を通過した空気は、第１遮風部１０４Ｕによって遮風されて流れの向きが変わり、一部が連通部１００−２Ｕにおける第２非重複領域Ａ２と対応する箇所へと導かれる。これにより、通風方向Ｄにおいて第２遮風部１０５Ｕの下流側に位置するために空気が流通しにくい領域、すなわち、脱臭フィルタ２３ａＸにおける第２非重複領域Ａ２と対応する領域へと、被処理空気を導くことができる。そのため、集塵ユニット２２Ｘを通過した空気は、通風方向Ｄを上流から下流へ流れる際に、より均一に脱臭フィルタ２３ａＸへ流れ込むことができる。
【００４９】
また、ガイド部１００−１Ｕは、第１遮風部１０４Ｕおよび第２遮風部１０５Ｕが通風方向Ｄに対して垂直に設けられているため、通風方向Ｄに対する連通部１００−２Ｕの容積を小さくできる。また、ガイド部１００−１Ｕは、通風方向Ｄに対する垂直断面が集塵ユニット２２Ｘの空気の排出面２２Ｘｏと略同一の正方形を形成する通風路と、通風方向Ｄに対する垂直断面が脱臭フィルタ２３ａＸの空気の吸入面２２ａＸｉと略同一の円周を形成する通風路とが、通風方向Ｄの同一位置で重なった形状をしているため、通風方向Ｄに対する連通部１００−２Ｕの容積を更に小さくできる。そのため、ガイド部１００−１Ｕをよりコンパクトにすることができる。
【００５０】
［第４基本形態のガイド部材］
図７は、第４基本形態の空気清浄機のガイド部の概略を示す図である。第４基本形態の空気清浄機１Ｕのガイド部１００−１Ｕは、図５に示す第２基本形態のガイド部１００−１Ｙの前面側（Ｘ軸の負方向側）に配置されている集塵ユニット２２Ｘの形状を長方形とし、この長方形に合わせて第１開口部１０１ａＵを形成したものである。
【００５１】
ガイド部１００−１Ｖは、通風方向Ｄに対する垂直断面が集塵ユニット２２Ｘの空気の排出面２２Ｘｏと略同一の長方形状に形成された通風路と、通風方向Ｄに対する垂直断面が脱臭フィルタ２３ａＸの空気の吸入面２２ａＸｉと略同一の円形状に形成された通風路とが、通風方向Ｄで連続して配置された形状となっている。
【００５２】
また、ガイド部１００−１Ｖは、前面側に設けられた第１開口部１０１ａＵ、背面側に設けられた第２開口部１０１ｂＵ、第１開口部１０１ａＵと第２開口部１０１ｂＵを繋ぐ連通部１００−２Ｖを備えている。第１開口部１０１ａＵおよび第２開口部１０１ｂＵは、第３基本形態のガイド部１００−１Ｕと同様である。
【００５３】
また、ガイド部１００−１Ｖは、通風方向Ｄにおいて、連続した長方形状の通風路と円形状の通風路との境界となる位置に、第１遮風部１０４Ｕと第２遮風部１０５Ｕとを備えている。第１遮風部１０４Ｕは、集塵ユニット２２Ｘの第１非重複領域Ａ１と通風方向Ｄで相対する箇所に位置する。これにより、第１遮風部１０４Ｕは、通風方向Ｄの上流から流れて集塵ユニット２２Ｘの第１非重複領域Ａ１を通過した空気を遮風し、遮風した空気が第１非重複領域Ａ１と対応する位置から空気清浄機１Ｘの内部へ漏れ出すことなく脱臭フィルタ２３ａＸへ向かうように流れの向きを変える。また、第２遮風部１０５Ｕは、脱臭フィルタ２３ａＸの第２非重複領域Ａ２と通風方向Ｄで相対する箇所に位置する。これにより、第２遮風部１０５Ｕは、通風方向Ｄを上流から流れて集塵ユニット２２Ｘを通過した後に逆流しようとする空気を遮風し、遮風した空気が第２非重複領域Ａ２に対応する位置から空気清浄機１Ｘの内部へ漏れ出すことなく脱臭フィルタ２３ａＸへ向かうように流れの向きを変える。さらに、第２遮風部１０５Ｕは、集塵ユニット２２Ｘを通過していない空気清浄機１Ｘの内部の空気が脱臭フィルタ２３ａＸへ流入することを防ぐ。
【００５４】
また、ガイド部１００−１Ｖは、第１遮風部１０４Ｕと第２遮風部１０５Ｕとが、連続した長方形状の通風路と円形状の通風路との境界となる、通風方向Ｄでの同一箇所に配置されている。これにより、第１遮風部１０４Ｕと第２遮風部１０５Ｕを有するガイド部１００−１Ｖの構造を単純化できる。また、ガイド部１００−１Ｖは、第１遮風部１０４Ｕおよび第２遮風部１０５Ｕが通風方向Ｄに対して垂直に設けられているため、通風方向Ｄに対する連通部１００−２Ｖの容積を小さくできる。そのため、ガイド部１００−１Ｖをよりコンパクトにすることができる。
【００５５】
以上のガイド部１００−１Ｘ、ガイド部１００−１Ｙ、ガイド部１００−１Ｕ、およびガイド部１００−１Ｖにより、第１基本形態の〜第４基本形態の空気清浄機１Ｘ，１Ｙ，１Ｕ，１Ｖでは、集塵ユニット２２Ｘの第１非重複領域Ａ１を通過した空気が脱臭フィルタ２３ａＸを必ず通過する。また、集塵ユニット２２Ｘを通過した空気が脱臭フィルタ２３ａＸの第２非重複領域Ａ２をも通過することができる。すなわち、通風方向に対して垂直な投影面において集塵ユニット２２Ｘと脱臭ユニット２３ａＸの形状が異なる場合であっても、被処理空気を両方のユニットに通過させることができる。
【実施例】
【００５６】
以下、上述した第１基本形態（図４（集塵ユニットの空気の排出面がおおよそ正方形である場合））に相当する具体的な実施例を説明する。
【００５７】
図１０は、実施例の空気清浄機を示すＡ−Ａ断面図である。Ａ−Ａ線は、図８に示すとおりである。本体筐体１１は、図１０に示すように、内部に通風路１０が形成されている。通風路１０は、前面吸込口１１ａ１を、左側面吹出口１１ｂ１と右側面吹出口１１ｂ２と上面吹出口１１ｅ１とに連通している。
【００５８】
空気清浄機１は、空気清浄機１に内蔵されるフロントシャーシとしてのホルダ部１００を備えている。空気清浄機１は、さらに、プレフィルタ２１、集塵ユニット２２、脱臭ユニットとしての脱臭ユニット２３、および送風機２５を備えている。プレフィルタ２１、集塵部としての集塵ユニット２２、脱臭部としての脱臭ユニット２３、および送風機２５は、本体筐体１１の内部の通風路１０に配置されている。
【００５９】
ホルダ部１００は、前面吸込口１１ａ１から吸い込まれ集塵ユニット２２を通過した空気を脱臭ユニット２３の脱臭フィルタ２３ａを通過するように導くガイド部１００−１を備えている。ガイド部１００−１は、集塵ユニット２２を通過した空気を脱臭ユニット２３の脱臭フィルタ２３ａへ導く連通部１００−２を備えている。連通部１００−２は、通風路１０の一部を構成する。ホルダ部１００の詳細については、図１２〜図１８を参照して後述する。
【００６０】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、前面吸込口１１ａ１から本体筐体１１の内部の通風路１０に吸い込まれる空気に含まれる塵埃を捕集する。
【００６１】
集塵ユニット２２は、通風路１０のうちのプレフィルタ２１の背面側に配置されている。集塵ユニット２２は、ホルダ部１００により保持されている。集塵ユニット２２は、図示しない筐体、放電電極および集塵電極を備えた電気集塵機で構成されている。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、放電電極と集塵電極と筐体とで形成された電気集塵機で構成されていることにより、例えば不織布をプリーツ形状に形成してなる他の集塵フィルタに比べて、空気抵抗が小さい。
【００６２】
脱臭ユニット２３は、通風路１０のうちのプレフィルタ２１の背面側に配置されている。脱臭ユニット２３は、脱臭フィルタ２３ａ、フィルタ再生部２３ｆ（図１７および図１８参照）を備えている。脱臭フィルタ２３ａは、円板状に形成されている。脱臭フィルタ２３ａの円周方向における一部の両面を覆っている。脱臭ユニット２３は、ホルダ部１００により保持されている。
【００６３】
フィルタ再生部２３ｆは、略三角柱形状に形成されており、内部にＰＴＣ（Positive  Temperature  Coefficient）ヒータ等の図示しないヒータと図示しない放熱板とを備えている。フィルタ再生部２３ｆは、その略三角柱形状の三角の底辺側がホルダ部１００に固定されている。また、フィルタ再生部２３ｆは、その略三角柱形状の三角の底辺と向かい合う頂点に脱臭フィルタ２３ａの円の中心が固定されることにより、脱臭フィルタ２３ａを保持している。
【００６４】
フィルタ再生部２３ｆは、脱臭フィルタ２３ａが駆動され円の中心を軸に回転することにより、フィルタ再生部２３ｆのヒータにより加熱された内部の放熱板からの伝熱で、脱臭フィルタ２３ａの両面を覆う部分を通過する脱臭フィルタ２３ａの部分を加熱する。フィルタ再生部２３ｆは、加熱により、脱臭フィルタ２３ａにより吸着された臭気の粒子を分解して脱臭フィルタ２３ａの脱臭能力を回復させる。フィルタ再生部２３ｆは、加熱部ともいう。
【００６５】
送風機２５は、通風路１０のうちの脱臭ユニット２３の背面側に配置されている。送風機２５は、ターボファン２５ａおよびファンモータ２５ｂを備えている。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、前面吸込口１１ａ１から、左側面吹出口１１ｂ１、右側面吹出口１１ｂ２、および上面吹出口１１ｅ１に向かって空気を流す。すなわち、送風機２５は、前面吸込口１１ａ１から、空気清浄機１の内部へ空気を取り込み、通風路１０に沿って空気を通過させる。送風機２５は、さらに、左側面吹出口１１ｂ１、右側面吹出口１１ｂ２、および上面吹出口１１ｅ１を介して、通風路１０を通過した空気を空気清浄機１の外部に放出する。
【００６６】
図１１は、実施例の空気清浄機を示すＢ−Ｂ断面図である。Ｂ−Ｂ線は、図８に示すとおりである。プレフィルタ２１は、図１１に示すように、中央が前面側に向かって凸となるアーチ形状に形成されている。このため、プレフィルタ２１は、プレフィルタ２１を平坦状に形成する場合と比べて、前面吸込口１１ａ１から、本体筐体１１の内部に吸い込まれた空気がプレフィルタ２１を通過する面積が大きい。これにより、プレフィルタ２１は、前面吸込口１１ａ１から、本体筐体１１の内部に吸い込まれた空気から、より一層多くの塵埃を捕集することができる。
【００６７】
［ガイド部材を前面側から見た構成］
図１２は、実施例のホルダ部を前面側から見た斜視図である。図１３は、実施例のホルダ部を示す正面図である。図１４は、実施例のホルダ部に集塵ユニットを取り付けて前面側から見た斜視図である。
【００６８】
図１２および図１３に示すように、ホルダ部１００は、ガイド部１００−１、係止口１０２、係止爪１０３を備えている。ガイド部１００−１は、前面側に矩形状の第１開口部１０１ａを備えている。また、ガイド部１００−１は、背面側に円形状の第２開口部１０１ｂを備えている。また、ガイド部１００−１は、第１開口部１０１ａと第２開口部１０１ｂとを繋ぐ連通部１００−２を備えている。第１開口部１０１ａは、通風路１０の一部を形成する、縦断面が集塵ユニット２２と同様の矩形状の開口部である。第１開口部１０１ａは、集塵ユニット２２の空気の排出面２２Ｘｏの形状に沿って形成されている。第２開口部１０１ｂは、脱臭ユニット２３の空気の吸入面２３ａＸｉの形状に沿って形成されている。
【００６９】
また、ガイド部１００−１は、通風方向Ｄに対して垂直な投影面において、矩形状の第１開口部１０１ａよりも内周側かつ円形状の第２開口部１０１ｂよりも外周側の位置に配置された第１遮風部１０４を備えている。第１遮風部１０４は、通風方向Ｄに対して垂直をなす板状に形成されている。また、第１遮風部１０４は、ガイド部１００−１において、第１開口部１０１ａの通風方向Ｄの背面側に、第１開口部１０１ａの矩形の４隅を閉塞する位置に形成されている。なお、通風方向Ｄに対して垂直な投影面とは、集塵ユニット２２と脱臭ユニット２３の脱臭フィルタ２３ａとを通風方向Ｄに対して投影したそれぞれの投影像が表れる面をいう。
【００７０】
また、ガイド部１００−１は、通風方向Ｄに対して垂直な投影面において、矩形の第１開口部１０１ａよりも外周側かつ円形の第２開口部１０１ｂよりも内周側の位置に配置された第２遮風部１０５を備えている。第２遮風部１０５は、通風方向Ｄに対して垂直をなす板状に形成されている。ホルダ部１００の第１開口部１０１ａには、集塵ユニット２２が嵌め込まれる。第２遮風部１０５は、第１開口部１０１ａに集塵ユニット２２が嵌め込まれた際に、その一部が集塵ユニット２２の４辺と当接するように形成されている。
【００７１】
係止口１０２は、ホルダ部１００の第１開口部１０１ａの前面側に備えられ、係止口１０２に取り付けられた図示しない係止凸部が、第１開口部１０１ａに嵌め込まれた集塵ユニット２２の一端に形成されている図示しない係止凹部に嵌入される。係止爪１０３は、ホルダ部１００の第１開口部１０１ａの前面側に備えられ、一端の係止凹部に係止凸部が嵌入された集塵ユニット２２の他端を前面側から背面側へ押さえ込む。
【００７２】
また、図１４に示すように、ホルダ部１００の前面側には、上方の左側に電源ユニット５１、上方の右側に制御ユニット５２が取り付けられる。電源ユニット５１は、空気清浄機１の各部に電力を供給する。制御ユニット５２は、空気清浄機１の各部を電気的に制御する。
【００７３】
［ガイド部材を背面側から見た構成］
図１５は、実施例のホルダ部を背面側から見た斜視図である。図１６は、実施例のホルダ部を示す背面図である。図１７は、実施例のホルダ部にフィルタ再生部を取り付けて背面側から見た斜視図である。図１８は、実施例のホルダ部にフィルタ再生部および脱臭フィルタを取り付けて背面側から見た斜視図である。
【００７４】
図１５および図１６に示すように、第２開口部１０１ｂは、第１開口部１０１ａと連通し、第１開口部１０１ａとともに通風路１０の一部を形成する、ＹＺ平面に平行な縦断面が脱臭フィルタ２３ａと同様の円形状に形成された開口部である。第２開口部１０１ｂの背面側の端部は、ホルダ部１００に対して略垂直かつ略円形状のリブ部１０６により形成されている。
【００７５】
第１遮風部１０４は、第２開口部１０１ｂと連通する第１開口部１０１ａの通風方向Ｄで第２開口部１０１ｂと重ならない第１非重複領域Ａ１（図２、図３等参照）と相対する第２開口部１０１ｂの領域を遮蔽する位置であって、リブ部１０６と連続するように、ガイド部１００−１の第２開口部１０１ｂ側の端部に形成されている。
【００７６】
第１遮風部１０４は、略円形状のリブ部１０６の外周かつ矩形状の第１開口部１０１ａの四隅に対応するように位置する。第１遮風部１０４は、集塵ユニット２２のこの四隅を通過した空気を遮風し、遮風した空気が空気清浄機１の内部へ漏れ出すことなく脱臭フィルタ２３ａへ向かうように流れを変える。
【００７７】
また、第２遮風部１０５は、第１開口部１０１ａと連通する第２開口部１０１ｂの通風方向で第１開口部１０１ａと重ならない第２非重複領域Ａ２（図２、図３等参照）と相対する第１開口部１０１ａの領域を遮蔽する位置であって、ガイド部１００−１の第１開口部１０１ａ側の端部に形成されている。
【００７８】
第２遮風部１０５は、第１開口部１０１ａの矩形の４辺に対応するように位置する。第２遮風部１０５は、集塵ユニット２２を通過した空気を遮風し、逆流して通風方向Ｄへ流れず脱臭ユニット２３の脱臭フィルタ２３ａを通過しない方向へ流れないようにする。また、第１開口部１０１ａは、集塵ユニット２２を通過せず集塵ユニット２２のこの４辺の外側を通過した空気を遮風し、脱臭ユニット２３の脱臭フィルタ２３ａを通過する方向へ流れないようにする。
【００７９】
また、ホルダ部１００は、第２開口部１０１ｂの上方に、フィルタ再生部２３ｆを固定するための取付部１０７を備えている。リブ部１０６は、フィルタ再生部２３ｆが取付部１０７に固定された際に、第２開口部１０１ｂの中心方向へ延びるフィルタ再生部２３ｆがリブ部１０６の本体と干渉しないための切欠部１０６ａを備えている。
【００８０】
図１７および図１８に示すように、フィルタ再生部２３ｆは、取付部１０７に固定されることにより、ホルダ部１００の背面側に取り付けられる。ホルダ部１００には、リブ部１０６の円周の外側のフィルタ再生部２３ｆと近接する位置に、脱臭ユニット２３を駆動するための駆動部５３が取り付けられている。なお、図１７では、脱臭フィルタ２３ａの図示を省略している。図１８は、脱臭フィルタ２３ａが取り付けられた状態を示す。
【００８１】
図１８に示すように、脱臭フィルタ２３ａは、その外周に外周部フィルタカバー２３ａｃを備えている。外周部フィルタカバー２３ａｃは、略円環状に形成されており、脱臭フィルタ２３ａの外周部に沿って配置されている。外周部フィルタカバー２３ａｃは、脱臭フィルタ２３ａの外周縁部を覆って外周部の端面を保護している。脱臭フィルタ２３ａは、外周部フィルタカバー２３ａｃの外周に形成された歯車部３４が、駆動部５３に設けられた図示しない駆動歯車に噛み合わされている。これにより、脱臭フィルタ２３ａは、駆動部５３による駆動歯車の回転が伝達されて、脱臭フィルタ２３ａの中心を回転軸として回転する。また、ホルダ部１００には、脱臭フィルタ２３ａのＸ方向への移動を規制する押さえ部１０８が設けられている。
【００８２】
脱臭ユニット２３は、第２開口部１０１ｂを形成するリブ部１０６の背面側の端部と接触せずに対向する状態を保持しつつ脱臭フィルタ２３ａが回転できるように、ホルダ部１００に取り付けられる。あるいは、脱臭ユニット２３は、外周部フィルタカバー２３ａｃの円周がリブ部１０６により取り囲まれ、外周部フィルタカバー２３ａｃの円周がリブ部１０６と接触しない状態を保持しつつ脱臭フィルタ２３ａが回転できるようにホルダ部１００に取り付けられてもよい。すなわち、第２開口部１０１ｂは、脱臭ユニット２３の外周部フィルタカバー２３ａｃよりも内周側となる位置で脱臭ユニット２３と対向し、かつ、脱臭ユニット２３と接触しない状態を保持しつつ脱臭フィルタ２３ａを回転させることが可能である。脱臭ユニット２３と、リブ部１０６が接触しないように状態が保持されつつ脱臭フィルタ２３ａが回転できるようにすることで、リブ部１０６と外周部フィルタカバー２３ａｃの接触による摩耗を回避できる。
【００８３】
以上の実施例では、空気清浄機１は、内部へ吸い込まれて通風方向Ｄへ流れる空気を通過させ、通過する空気に含まれる塵埃を捕集する集塵ユニット２２と、通風方向Ｄへ流れる空気を通過させ、通過する空気に含まれる臭気成分を脱臭フィルタ２３ａで脱臭する脱臭ユニット２３と、集塵ユニット２２を通過した空気を脱臭ユニット２３へ案内する通風路を形成するガイド部１００−１とを備える。そして、ガイド部１００−１は、集塵ユニット２２の矩形状の空気の排出面２２Ｘｏの形状に沿って形成された第１開口部１０１ａと、脱臭ユニット２３の円形状の脱臭フィルタ２３ａの空気の吸入面２３ａＸｉの形状に沿って形成されて第１開口部１０１ａとは形状が異なる第２開口部１０１ｂと、第１開口部１０１ａと第２開口部１０１ｂとを繋ぐ連通部１００−２とを備える。連通部１００−２は、通風方向に対して垂直な投影面において第１開口部１０１ａと第２開口部１０１ｂとが通風方向で重ならない位置に設けられた遮風部（第１遮風部１０４、第２遮風部１０５）を備える。
【００８４】
これにより、実施例の空気清浄機１によれば、通風方向Ｄに対して垂直な投影面において、集塵ユニット２２の空気の排出面２２Ｘｏと脱臭ユニット２３の空気の吸入面２３ａＸｉとが通風方向で重ならない非重複領域（第１非重複領域Ａ１、第２非重複領域Ａ２）を有する場合であっても、集塵ユニット２２を通過して除塵された空気を脱臭ユニット２３に通過させて脱臭することができる。よって、空気清浄機１は、脱臭されていない空気の臭気で使用者に不快感を与えることを防止できる。
【００８５】
また、集塵ユニット２２が電気集塵機で構成されるときは、集塵ユニット２２によって空気を除塵する際、放電現象によりオゾンが発生する場合がある。この場合であっても、集塵ユニット２２で発生したオゾンを含んだ空気は、脱臭ユニット２３に通過させることでオゾン臭が脱臭される。よって、空気清浄機１はオゾン臭が脱臭された空気を室内へ吹き出すことができるので、オゾン臭が室内に放出されることにより使用者に不快感を与えることを防止できる。さらに、集塵ユニット２２としての電気集塵機で発生したオゾンによって、脱臭ユニット２３の脱臭フィルタ２３ａに付着した付着物を酸化分解させ、脱臭フィルタ２３ａを清浄化させることができる。
【００８６】
また、実施例の空気清浄機１によれば、通風方向Ｄに対して垂直な投影面において、集塵ユニット２２の空気の排出面２２Ｘｏと脱臭ユニット２３の空気の吸入面２３ａＸｉとが通風方向Ｄで重ならない非重複領域を有する場合であっても、集塵ユニット２２により集塵されていない空気が脱臭ユニット２３の脱臭フィルタ２３ａを通過して、塵埃等を含んだままの空気が室内へ吹き出されるという不都合の発生を防止できる。また、集塵ユニット２２により集塵されていない空気が脱臭ユニット２３の脱臭フィルタ２３ａを通過しようとすることにより、空気に含まれる塵埃等により脱臭フィルタ２３ａが目詰まりを起こすという不都合の発生を防止できる。
【００８７】
以上のように、実施例の空気清浄機１によれば、集塵ユニット２２と脱臭ユニット２３とが、通風方向Ｄに対して垂直な投影面において重ならない、つまり、通風方向Ｄに対して垂直な投影面において、第１開口部１０１ａと第２開口部１０１ｂとが通風方向Ｄで重ならない非重複領域（第１非重複領域Ａ１、第２非重複領域Ａ２）を有する場合であっても、非重複領域に対応する位置に配置された遮風部により、脱臭ユニット２３により脱臭されていない空気が漏れ出すことや、集塵ユニット２２により除塵されていない空気が脱臭ユニット２３へ流入してしまうとことを防止できる。
【００８８】
また、以上の実施例では、遮風部は、通風方向Ｄに対して垂直な投影面において、矩形状の第１開口部１０１ａよりも内周側かつ円形状の第２開口部１０１ｂよりも外周側となる位置に配置された第１遮風部１０４を含む。また、遮風部は、通風方向Ｄに対して垂直な投影面において、矩形状の第１開口部１０１ａよりも外周側かつ円形状の第２開口部１０１ｂよりも内周側となる位置に配置された第２遮風部１０５を含む。
【００８９】
これにより、実施例の空気清浄機１によれば、第１遮風部１０４によって、脱臭ユニット２３で脱臭されていない空気が第２開口部１０１ｂの外周側から漏れ出すことが防止される。また、第２遮風部１０４によって、集塵ユニット２２により除塵されていない空気が第１開口部１０１ａの外周側から脱臭ユニット２３へ流入してしまうことを防止できる。
【００９０】
また、以上の実施例では、第１遮風部１０４は、ガイド部１００−１の第２開口部１０１ｂ側の端部に形成される一方、ガイド部１００−１の第１開口部１０１ａ側の端部には形成されない。また、第２遮風部１０５は、ガイド部１００−１の第１開口部１０１ａ側の端部に形成される一方、ガイド部１００−１の第２開口部１０１ｂ側の端部には形成されない。
【００９１】
これにより、実施例の空気清浄機１によれば、連通部１００−２内部の空間において、集塵ユニット２２を通過した空気の流れる方向を第１遮風部１０４で変化させることで、空気を第２遮風部１０５の背面側の空間へ導き、この導かれた空気を第２遮風部１０５の背面側でさらに流れの方向を変化させて、脱臭ユニット２３の脱臭フィルタ２３ａへ導くことができる。
【００９２】
なお、以上の実施例では、第１遮風部１０４および第２遮風部１０５が、通風方向Ｄに対して垂直をなす板状に形成されている場合を例示したが、第１遮風部１０４および第２遮風部１０５は、ガイド部１００の矩形状の第１開口部１０１ａと円形状の第２開口部１０１ｂとを滑らかに繋ぐように形成されていてもよい。
【００９３】
また、以上の実施例では、第２開口部１０１ｂは、脱臭ユニット２３に接触しない。これにより、実施例の空気清浄機１によれば、脱臭ユニット２３の脱臭フィルタ２３ａが回転する際に第２開口部１０１ｂと接触しないので、第２開口部１０１ｂが脱臭フィルタ２３ａの回転を妨げることなく、また、接触により第２開口部１０１ｂと脱臭ユニット２３とが摩耗することを防止できる。
【００９４】
また、以上の実施例では、第２開口部１０１ｂのリブ部１０６は、脱臭ユニット２３の外周（外周部フィルタカバー２３ａｃ）よりも内周側となる位置で脱臭ユニット２３と対向する。これにより、実施例の空気清浄機１によれば、集塵ユニット２２を通過した空気を、空気が通過しない外周部フィルタカバー２３ａｃを避けて脱臭フィルタ２３ａだけに導くことで、集塵ユニット２２を通過した空気を効率的に脱臭フィルタ２３ａへ導くことができる。
【００９５】
また、以上の実施例では、集塵ユニット２２と脱臭ユニット２３が取り付けられるホルダ部１００を有し、ガイド部１００−１は、ホルダ部１００に形成されている。これにより、実施例の空気清浄機１によれば、ホルダ部１００に集塵ユニット２２と脱臭ユニット２３とを取り付ける際に、集塵ユニット２２および脱臭ユニット２３に対するガイド部１００−１の位置を正確に位置決めすることができる。また、ガイド部１００−１をホルダ部１００とともにＡＢＳ樹脂等で一体形成できるので、製造工程の簡素化、部品点数の低減等を図ることができる。
【００９６】
また、以上の実施例では、第２開口部１０１ｂは、脱臭ユニット２３が備えている加熱部であるフィルタ再生部２３ｆに対応する部分を切り欠いた切欠部１０６ａを備える。これにより、実施例の空気清浄機１によれば、フィルタ再生部２３ｆがホルダ部１００へ取り付けられた際、リブ部１０６と干渉しないための切欠部１０６ａにより、フィルタ再生部２３ｆを通風路１０に配置することができる。
【００９７】
以上、基本形態および実施例を説明したが、上述した内容により本願が開示する技術が限定されるものではない。また、上述した構成要素には、当業者が容易に想定できるもの、実質的に同一のもの、いわゆる均等の範囲のものが含まれる。さらに、上述した構成要素は適宜組み合わせることが可能である。さらに、実施形態の要旨を逸脱しない範囲で構成要素の種々の省略、置換および変更のうち少なくとも１つを行うことができる。
【符号の説明】
【００９８】
１Ｘ、１Ｙ、１：空気清浄機
１０：通風路
１１：本体筐体
１１ａ：前面パネル
１１ａ１：前面吸込口
１１ｂ：背面パネル
１１ｂ１：左側面吹出口
１１ｂ２：右側面吹出口
１１ｃ：左側面パネル
１１ｄ：右側面パネル
１１ｅ：天面パネル
１１ｅ１：上面吹出口
１１ｆ：底面部
２１：プレフィルタ
２２、２２Ｘ：集塵ユニット
２２Ｘｏ：排出面
２３：脱臭ユニット
２３ａ、２３ａＸ：脱臭フィルタ
２３ａＸｉ：吸入面
２３ａｃ：外周部フィルタカバー
２３ｆ：フィルタ再生部
２４ｂ：貯水タンク
２５：送風機
２５ａ：ターボファン
２５ｂ：ファンモータ
３４：歯車部
５１：電源ユニット
５２：制御ユニット
５３：駆動部
１００：ホルダ部
１００−１、１００−１Ｘ、１００−１Ｙ：ガイド部
１００−２、１００−２Ｘ、１００−２Ｙ：連通部
１０１ａ、１０１ａＸ：第１開口部
１０１ｂ、１０１ｂＸ：第２開口部
１０２：係止口
１０３：係止爪
１０４、１０４Ｘ：第１遮風部
１０５、１０５Ｘ：第２遮風部
１０６：リブ部
１０６ａ：切欠部
１０７：取付部
１０８：押さえ部
Ａ１：第１非重複領域
Ａ２：第２非重複領域
Ｄ：通風方向
【図１】
2019154807.tif 000003
【図２】
2019154807.tif 000004
【図３】
2019154807.tif 000005
【図４】
2019154807.tif 000006
【図５】
2019154807.tif 000007
【図６】
2019154807.tif 000008
【図７】
2019154807.tif 000009
【図８】
2019154807.tif 000010
【図９】
2019154807.tif 000011
【図１０】
2019154807.tif 000012
【図１１】
2019154807.tif 000013
【図１２】
2019154807.tif 000014
【図１３】
2019154807.tif 000015
【図１４】
2019154807.tif 000016
【図１５】
2019154807.tif 000017
【図１６】
2019154807.tif 000018
【図１７】
2019154807.tif 000019
【図１８】
2019154807.tif 000020